(57)【特許請求の範囲】
【請求項１】
フイルムカートリッジの遮光ドア開閉部材に遮光ドア駆動軸を係合させ、該遮光ドア駆動軸を遮光ドアの閉成位置あるいは開成位置に回動させることによって前記遮光ドアを開閉するフイルムカートリッジの遮光ドア制御方法において、
前記フイルムカートリッジの装填時には前記遮光ドア駆動軸を遮光ドアの閉成位置と開成位置との間に設定したフイルムカートリッジの装填待機位置に遮光ドア駆動軸を停止させてフイルムカートリッジを受け入れ、
前記フイルムカートリッジの排出時には前記遮光ドア駆動軸を前記遮光ドアの閉成位置まで駆動して前記フイルムカートリッジを排出させるようにすることを特徴とするフイルムカートリッジの遮光ドア制御方法。
【請求項２】
前記フイルムカートリッジの装填待機位置は、前記フイルムカートリッジの遮光ドアが閉成状態になくても前記遮光ドア駆動軸に該フイルムカートリッジの遮光ドア開閉部材が倣って係合する位置である請求項１のフイルムカートリッジの遮光ドア制御方法。
【請求項３】
前記遮光ドア駆動軸の待機位置は、前記遮光ドアの閉成位置よりも回動角度が４〜８度手前であることを特徴とする請求項２のフイルムカートリッジの遮光ドア制御方法。
【請求項４】
第１の係合部を有し、駆動源からの動力によって回動する第１の動力伝達部材と、
フイルムカートリッジの遮光ドア開閉部材に係合する遮光ドア駆動軸を有し、該遮光ドア駆動軸を中心にして前記フイルムカートリッジの遮光ドアをそれぞれ開閉するための開放位置と閉成位置との間で回動する第２の動力伝達部材であって、前記第１の動力伝達部材の所定の回動範囲で前記第１の係合部に着脱自在に係合する第２の係合部を有し、前記第１の係合部から第２の係合部を介して回転駆動力が伝達される第２の動力伝達部材と、  前記第２の動力伝達部材の移動位置に応じて該第２の動力伝達部材を前記遮光ドアの開成位置である一方の移動端、または遮光ドアの閉成位置である他方の移動端に向けて双安定に付勢する付勢部材と、を備えたフイルムカートリッジの遮光ドア開閉装置であって、  前記第１の動力伝達部材に前記第２の動力伝達部材の回動を規制する規制部材を形成し、該規制部材は、前記第１の動力伝達部材と第２の動力伝達部材との相対的な回転位置により、前記遮光ドアの閉成位置の手前の所定区間で前記付勢部材による付勢力に抗して前記第２の動力伝達部材の回動を規制し、
前記フイルムカートリッジの装填時には、前記規制部材によって前記第２の動力伝達部材の回動が規制されるように前記第１の動力伝達部材の回転位置を制御する手段を備えたことを特徴とするフイルムカートリッジの遮光ドア開閉装置。
【発明の詳細な説明】
【０００１】
【発明の属する技術分野】
本発明は、新システムフイルムに対応したカメラ，ラボ機，フイルム画像再生装置等におけるフイルムカートリッジの遮光ドア制御方法及びその方法を実施するための遮光ドア開閉装置に関する。
【０００２】
【従来の技術】
図１０は、フイルム画像再生装置を示しており、装置ハウジング２のカートリッジ室２Ａにフイルムカートリッジ１０を装填する状態を示す拡大斜視図である。前記装置ハウジング２には、蓋４がヒンジ６を介して開閉自在に取付けられている。蓋４の内側にはカートリッジ姿勢保持部材４Ａが突設されており、内側上縁部には爪４Ｂが形成されている。
【０００３】
装置ハウジング２のカートリッジ室２Ａには、ロックレバー１２が軸１４を支点として回動自在に配設されている。そして、このロックレバー１２は、スプリング１６の付勢力によって先端の爪１２Ａが閉方向（図１０中矢印方向）に付勢される。このロックレバー１２の折り曲げ形成された端部１２Ｂには、ロック解除レバー１８が近接して配置されている。このロック解除レバー１８が図１０中下方向に移動されて前記端部１２Ｂを押圧し、ロックレバー１２が開方向（図１０中矢印と反対方向）に回動されると、蓋４のロックが解除されて蓋４を図１０に示すように開放する。前記ロック解除レバー１８は後述する駆動力伝達機構２０によって駆動される。
【０００４】
また、装置２のカートリッジ室２Ａには、遮光ドア駆動軸２２及びスプール駆動軸２４が配設されている。これら遮光ドア駆動軸２２及びスプール駆動軸２４は、後述する駆動力伝達機構２０によって駆動される。同図に示すように、前記フイルムカートリッジ１０は単一のスプール２６，カートリッジ遮光ドア２８，遮光ドア開閉部材３０を有している。カートリッジ遮光ドア２８は、遮光ドア開閉部材３０に連結さており、遮光ドア開閉部材３０の回動動作によって開閉される。
【０００５】
図１０において、フイルムカートリッジ１０は、該フイルムカートリッジ１０を装置ハウジング２のカートリッジ室２Ａに装填し、蓋４を閉じると、カートリッジ姿勢保持部材４Ａがフイルムカートリッジ１０のスプール２６に当接し、前記スプール駆動軸２４との間でスプール２６が挟持されて姿勢が保持される。また、蓋４の爪４Ｂはロックレバー１２の爪１２Ａに係合し、これにより蓋４が閉状態でロックされる。
【０００６】
また、フイルムカートリッジ１０が装填されると、遮光ドア開閉部材３０が、前記遮光ドア駆動軸２２に係合される。そして、駆動力伝達機構２０の動力が遮光ドア駆動軸２２，遮光ドア開閉部材３０を介してカートリッジ遮光ドア２８に伝達されることにより、カートリッジ遮光ドア２８が開閉される。フイルムの使用時は、駆動力伝達機構２０からの動力でスプール２６が回動される。これによって、フイルムがフイルムカートリッジ１０から送りだされる。
【０００７】
図１１に従来の駆動力伝達機構２０の一例を示す。同図に示す駆動力伝達機構２０は、レバー（第１の動力伝達部材）３２，回動駒（第２の動力伝達部材）３４及び捩じりコイルばね（付勢部材）３６等から構成されている。前記レバー３２にはセクターギヤ３２Ａが形成され、このセクターギヤ３２Ａに図示しないモータ側のギヤが噛合されている。モータから駆動力が伝達されると、前記レバー３２は図１１（Ａ）中θ°の範囲で往復回動されるようになっている。
【０００８】
前記回動駒３４にはＵ字状の係合溝３４Ａが形成され、この係合溝３４Ａにレバー３２の爪３２Ｂが係合することによって回動駒３４が回動される。この回動駒３４は捩じりコイルばね３６の一方へ付勢され、かつ図示しない一方のストッパーによって通常図１１（Ａ）に示す一方の移動端位置（遮光ドア開成位置）に位置決めされている。図１１（Ａ）においてレバー３２が反時計回り方向に回動してくると、前記爪３２Ｂが図１１１１（Ｂ）に示すように前記係合溝３４Ａに係合し、回動駒３４が捩じりコイルばね３６の付勢力に抗して反時計回り方向に回動し始める。そして、レバー３２がθ１°回動すると、捩じりコイルばね３６の付勢力が前記他方の移動端方向側に切り換わり、該捩じりコイルばね３６の付勢力と他方の図示しないストッパーとによって図１１１１（Ｃ）に示す他方の移動端位置（遮光ドア閉成位置）に位置決めされる。
【０００９】
なお、前記レバー３２は、回動駒３４との係合が解除されたのち、ロック解除レバー１８（第３の動力伝達部材）に係合される。このロック解除レバー１８は、図１１（Ｃ）に示すレバー３２のθ２°の回動によって駆動される。即ち、この駆動力伝達機構は、レバー３２の全回動範囲θのうちθ１°の範囲で回動駒３４を駆動し、残りのθ２°の範囲で前記ロック解除レバー１８を駆動する機構となっている。
【００１０】
【発明が解決しようとする課題】
ところで、上記従来のフイルム画像再生装置では、フイルムカートリッジ１０をカートリッジ室２Ａに収容する際に、遮光ドア駆動軸２２が回動駒３４の一方の移動端位置（遮光ドア閉成位置）で待機している。そして、フイルムカートリッジ１０をカートリッジ室２Ａに収容するとフイルムカートリッジ１０の遮光ドア開閉部材３０の孔部（図示せず）が遮光ドア駆動軸２２に係合する。
【００１１】
しかしながら、その際にフイルムカートリッジ１０の遮光ドア２８が開いた状態でフイルムカートリッジ１０をカートリッジ室２Ａに装填すると、開閉部材３０の孔部と、閉成位置で待機している遮光ドア駆動軸２２の位置が大幅にずれているため、開閉部材３０の孔部が遮光ドア駆動軸２２に突き当たり、開閉部材３０または遮光ドア駆動軸２２を損傷する虞れがある。
【００１２】
本発明はこのような事情に鑑みてなされたもので、フイルムカートリッジの遮光ドアが誤って開放されている状態でフイルムカートリッジをカートリッジ室に押し込んでも、開閉部材または遮光ドア駆動軸を損傷することなくフイルムカートリッジを装填できるようにしたフイルムカートリッジの遮光ドア制御方法及び開閉装置を提供することを目的とする。
【００１３】
【課題を解決するための手段】
本発明のフイルムカートリッジの遮光ドア制御方法では、前記目的を達成するために、フイルムカートリッジの遮光ドア開閉部材に遮光ドア駆動軸を係合させ、該遮光ドア駆動軸を遮光ドアの閉成位置あるいは開成位置に回動させることによって前記遮光ドアを開閉するフイルムカートリッジの遮光ドア制御方法において、前記フイルムカートリッジの装填時には前記遮光ドア駆動軸を遮光ドアの閉成位置と開成位置との間に設定したフイルムカートリッジの装填待機位置に遮光ドア駆動軸を停止させてフイルムカートリッジを受け入れ、前記フイルムカートリッジの排出時には前記遮光ドア駆動軸を前記遮光ドアの閉成位置まで駆動して前記フイルムカートリッジを排出させるようにする。
【００１４】
本発明のフイルムカートリッジの遮光ドア制御方法によれば、遮光ドア駆動軸が遮光ドアの閉成位置よりも手前の装填待機位置で待機しているので、遮光ドアが閉成状態となっていないフイルムカートリッジをカートリッジ室に押し込んでも、開閉部材は遮光ドア駆動軸にスムースに嵌合される。
また、本発明の制御方法を実施するめの遮光ドア開閉装置では、前記目的を達成するために、第１の係合部を有し、駆動源からの動力によって回動する第１の動力伝達部材と、フイルムカートリッジの遮光ドア開閉部材に係合する遮光ドア駆動軸を有し、該遮光ドア駆動軸を中心にして前記フイルムカートリッジの遮光ドアをそれぞれ開閉するための開放位置と閉成位置との間で回動する第２の動力伝達部材であって、前記第１の動力伝達部材の所定の回動範囲で前記第１の係合部に着脱自在に係合する第２の係合部を有し、前記第１の係合部から第２の係合部を介して回転駆動力が伝達される第２の動力伝達部材と、前記第２の動力伝達部材の移動位置に応じて該第２の動力伝達部材を前記遮光ドアの開成位置である一方の移動端、または遮光ドアの閉成位置である他方の移動端に向けて双安定に付勢する付勢部材と、を備えたフイルムカートリッジの遮光ドア開閉装置であって、前記第１の動力伝達部材に前記第２の動力伝達部材の回動を規制する規制部材を形成し、該規制部材は、前記第１の動力伝達部材と第２の動力伝達部材との相対的な回転位置により、前記遮光ドアの閉成位置の手前の所定区間で前記付勢部材による付勢力に抗して前記第２の動力伝達部材の回動を規制し、前記フイルムカートリッジの装填時には、前記規制部材によって前記第２の動力伝達部材の回動が規制されるように前記第１の動力伝達部材の回転位置を制御する手段を備えたことを特徴としている。本発明では、規制部材によって第２の動力伝達部材の回動が前記遮光ドアの閉成位置の手前の所定区間で停止されるので、該第２の動力伝達部材を回動駆動する動力源の制御が容易になる。
【００１５】
【発明の実施の形態】
以下添付図面に従って本発明に係るフイルムカートリッジの遮光ドア開閉装置の好ましい実施の形態を詳説する。なお、この実施の形態において上記した従来の部品に対応するものは、同一符号を附している。図１は、フイルムカートリッジ１０と駆動力伝達機構２０の一部を示している。駆動力伝達機構２０は図２に示すようにモータ３８，レバー３２，回動駒３４，捩じりコイルばね３６等から構成される。
【００１６】
前記モータ３８のスピンドル３８Ａには回転板４０が固着され、この回転板４０にはθ°の範囲でギヤ４０Ａが形成されている。前記ギヤ４０Ａには中間ギヤ４２が噛合され、このギヤ４２と同軸上に固着されたギヤ４４が前記レバー３２のセクターギヤ３２Ａに噛合されている。したがって、モータ３８を図２中反時計回り方向に駆動すると、その駆動力がギヤ４０Ａ，ギヤ４２，ギヤ４４，ギヤ３２Ａを介してレバー３２に伝達されるので、レバー３２は図２〜図５に示した範囲で回動する。
【００１７】
図６は前記レバー３２の説明図であり、図６（Ａ）は上面図，図６（Ｂ）は側断面図，図６（Ｃ）は底面図である。これらの図に示すようにレバー３２は、その略中央部に貫通孔３２Ｃが穿設され、貫通孔３２Ｃに挿通される軸４６（図２参照）に軸支される。また、レバー３２の表面にはカム溝４８が形成される。このカム溝４８には、ロック解除レバー１８の一端が係合される。カム溝４８は、軸４６を中心にして形成された範囲Ａで示す円弧状のカム溝４８Ａと、範囲Ｂで示す異形のカム溝４８Ｂとから形成される。したがって、ロック解除レバー１８は、範囲Ａで示すレバー３２の回動範囲では回動せず、範囲Ｂで示すレバー３２の回動範囲ではカム溝４８Ｂに係合されて回動される。この時、ロック解除レバー１８が回動されると、その端部１８Ａがロックレバー１２の端部１２Ａを押圧するので、蓋４が図１０１０に示したように開放される。
【００１８】
図６（Ｂ）において前記レバー３２の端部には前述した爪３２Ｂが突設されている。この爪３２Ｂは、前述した回動駒３４のＵ字状溝３４Ａに係合するものである。爪３２Ｂと溝３４Ａの係合動作については後述する。また、図６（Ｃ）においてレバー３２の底面には異形の突条部５２が形成される。突条部５２には図２〜図５に示すように、回動駒３４に突設されたピン５４とで規制手段が構成され、この突条部５２とピン５４との動作については後述する。
【００１９】
また、図６（Ｃ）において前記レバー３２の周縁にはカム５６が突設形成されている。このカム５６は前述した回動駒３４のピン５４に当接係合し、レバー３２の一定範囲の回動の間に、捩じりコイルばね３６の付勢力を受け止めて、その間捩じりコイルばね３６の付勢力が前記回動駒３４に及ばないようにするもので、レバー３２の貫通孔３２Ｃと同芯の円弧状カム面５６Ａを有している。このカム５６とピン５４との係合動作については後述する。
【００２０】
図７は回動駒３４の説明図で、図７（Ａ）は上面図，図７（Ｂ）は側面図である。これらの図に示すように、回動駒３４には前述したＵ字状溝３４Ａとピン５４とが形成されている。また、図７（Ａ）に示すように回動駒３４は、その略中央部に貫通孔３４Ｂが穿設される。そして、この貫通孔３４Ｂには遮光ドア駆動軸２２が嵌合され、回動駒３４が図１中矢印Ａ方向に回動されると、遮光ドア開閉部材３０が回動されてカートリッジ遮光ドア２８が閉じられる。逆に、回動駒３４が図１R>１中矢印Ｂ方向に回動されると、遮光ドア開閉部材３０が逆方向に回動されてカートリッジ遮光ドア２８が開放される。
【００２１】
前記回動駒３４は、前述した捩じりコイルばね３６の付勢力によって、図２に示した一方の移動端側または図５に示した他方の移動端側に向けて付勢され、図示しないそれぞれのストッパーによって、それらの移動端位置で安定して位置決めされる。前記捩じりコイルばね３６は、一方端が回動駒３４の前記ピン５４に係止され、他方端が装置本体側の固定ピン５８に係止されている。
【００２２】
次に、前記の如く構成された駆動力伝達機構２０の作用について説明する。図２〜図５に順に示した駆動力伝達機構２０の動作は、先ずカートリッジ遮光ドア２８を閉じて、次にカートリッジ室２Ａの蓋４を開放させる動作である。この動作について説明すれば、先ず、フイルムがフイルムカートリッジ１０のスプール２６に完全に巻き取られると、モータ３８が図２に示した位置から図中反時計回りの方向に駆動される。モータ３８の駆動力はギヤ４２Ａ，ギヤ４４，ギヤ４６，ギヤ３２Ａを介してレバー３２に伝達されて、レバー３２が図中反時計回りの方向に回動し始める。そして、レバー３２の爪３２Ｂが図３に示したように回動駒３４の溝３４Ａに係合し、その溝３４Ａを押すことにより回動駒３４が図４中反時計回りの方向に回動し始める。この時、回動駒３４は、捩じりコイルばね３６の付勢力に抗して回動する。この付勢力で回動駒３４は、逆戻り方向（図２に示した元の位置）に回動しようとするが、回動駒３４のピン５４が図４，図５に示すようにレバー３２の突条部５２に当接されて逆戻りが規制されているので、逆戻りすることなく円滑に回動する。
【００２３】
そして、レバー３２が図４に示した位置まで回動すると、捩じりコイルばね３６の付勢力が他方の移動端方向側に切り換わる。よって、回動駒３４は、切り換わった捩じりコイルばね３６の付勢力で他方の移動端位置へ向けて一挙に回動される。しかし、捩じり回動駒３４のピン５４はカム５６のカム面５６Ａに当接して、そこに止まる。この状態でも、フイルムカートリッジ１０の遮光ドア２８は閉じるが、さらにレバー３２が回動されると、カム５６がピン５４から完全に逃げるので、回動駒３４は捩じりコイルばね３６の付勢力によって他方の移動端位置まで回動される。この回動駒３４の動作によって図１に示した遮光ドア駆動軸２２と遮光ドア開閉部３０とが図中矢印Ａ方向に回動されるので、カートリッジ遮光ドア２８が確実に閉成される。
【００２４】
ところで、前記ロック解除レバー１８は図２〜図４に示したレバー３２の回動範囲では回動されない。この間はロック解除レバー１８の一端部がカム溝４８Ａを摺動するためロック解除レバー１８の先端１８Ａはロックレバー１２の端部１２Ａから離れた位置で保持されるが、その後のレバー３２の回動動作によって、ロック解除レバー１８の一端部が図６（Ａ）に示した異形のカム溝４８Ｂを摺動してロック解除レバー１８を作動させ、ロックレバー１２の端部１２Ｂに当接し、該ロックレバー１２を作動して蓋４を開放する。
【００２５】
上記実施の形態では、遮光ドア２８の閉動作と蓋４の開動作について説明したが、レバー３２を図５〜図２に示す順に回動させれば遮光ドア２８の開動作と、フイルム送り出し動作とを行うことができる。この場合も同様に、回動駒３４は規制部材で逆戻りが防止されているので円滑に回動する。また、前記レバー３２は、回動駒３４との係合が解除されたのち、図１０に示したスプール駆動軸２４と係合する。そして、レバー３２は、スプール駆動軸２４を介してスプール２６をフイルム送り出し方向に回動する。これにより、フイルムカートリッジ１０からフイルムが送り出される。
【００２６】
ところで、遮光ドア駆動軸２２は、図８に示したように、その基準位置から回動角度２０９°±４°の領域でフイルムカートリッジ１０の開閉部材３０を受入れ、回動角度１１７°±４°の領域でカートリッジ１０のカートリッジ遮光ドア２８を開成し、回動角度２０９°±４°の領域でカートリッジ１０のカートリッジ遮光ドア２８を閉成してフイルムカートリッジ１０を排出する。
【００２７】
本発明では、フイルムカートリッジ１０のカートリッジ遮光ドア２８を閉成するための遮光ドア駆動軸２２の回転角度に対して、フイルムカートリッジ１０の装填時に待機している遮光ドア駆動軸２２の回転角度を僅か手前の回転位置（待機位置）で停止させるようにしている。この待機位置は、カートリッジ遮光ドア２８が開放されている状態でフイルムカートリッジ１０が装填されても、遮光ドア駆動軸２２にフイルムカートリッジ１０の遮光ドア開閉部材３０が倣って係合することができる位置である。本発明の実施の形態では、上記待機位置は、好ましくは回動角度２０６°±１°（以下Ｂモードという。）とし、フイルムカートリッジの排出時における閉成位置は、回動角度２１２°±１°（以下Ａモードという。）となるように遮光ドア駆動軸２２の回動動作を制御している。
【００２８】
以下に遮光ドア駆動軸２２の回動動作の一例を図９のフローチャートに基づいて説明する。電源をＯＮにして（ステップ１０１）、イジェクトボタンを操作する（ステップ１０２）と、レバー３２が一方向へ回動され、図５に示した位置でカートリッジ室２Ａの蓋４のロックが解除されて蓋４が開成される（ステップ１０３）。続いてレバー３２が他方向へ回動されて遮光ドア駆動軸２２が待機位置であるＢモード位置（回動角度２０６°±１°）、即ち図４に示したように回動駒３４のピン５４がレバー３２のカム５６のカム面５６Ａに当接した状態に位置される。カートリッジ室２Ａにフイルムカートリッジ１０を装填し（ステップ１０４）、それが確認される（ステップ１０５）と、レバー３２は一方向へ回動され、それによって遮光ドア駆動軸２２がＡモード位置、即ち図５に示したように回動駒３４のピン５４がレバー３２のカム５６から完全に脱した位置まで回動され、カートリッジ遮光ドア２８が一旦完全に閉成される。そしてカートリッジ室２Ａの蓋４が閉成されたことが確認される（ステップ１０６）と、レバー３２は他方向へ回動され、遮光ドア駆動軸２２を回動させてカートリッジ遮光ドア２８を開成する（ステップ１０７）。この状態は、図２に示したように回動駒３４が一方端に回動されている状態である。次いで、フイルムカートリッジ１０からフイルムが繰り出され再生が行われる（ステップ１０８）。再生を終了したならば、イジェクトボタンを操作する（ステップ１０９）。すると、フイルムがフイルムカートリッジ１０に巻き込まれる。そしてフイルムがフイルムカートリッジ１０に巻き込まれたことが確認されると、レバー３２が一方向へ回動され、遮光ドア駆動軸２２がＡモード位置を経て、図５に示したように回動駒３４のピン５４がレバー３２のカム５６のカム面５６Ａから完全に脱した位置まで回動され（ステップ１１０）、カートリッジ室２Ａの蓋４が開成される。カートリッジ室２Ａの蓋４が開成されたことが確認される（ステップ１１１）と、レバー３２は他方向へ回動されＡモード位置まで戻され、そこでフイルムカートリッジ１０がカートリッジ室２Ａから排出される（ステップ１１２）。そして、フイルムカートリッジ１０がカートリッジ室２Ａから排出されるたことが確認されると、レバー３２がさらに他方向へ回動され、遮光ドア駆動軸２２がＢモード位置、即ち図４に示したように回動駒３４のピン５４がレバー３２のカム５６のカム面５６Ａに当接した状態に回動される。次いで、カートリッジ室２Ａの蓋４を閉成させる（ステップ１１４）。遮光ドア駆動軸２２は、このＢモード位置で待機される。
【００２９】
なお、上述した手順は一例を示したもので、本発明ではフイルムカートリッジ１０をカートリッジ室２Ａに受け入れる際に、遮光ドア駆動軸２２を遮光ドア２８の閉成位置よりも僅か手前で待機させることと、フイルムカートリッジ１０をカートリッジ室２Ａから排出させる際に、遮光ドア駆動軸２２を遮光ドア２８の閉成位置に保持させていれば、その他の手順は適宜変更してもよい。
【００３０】
【発明の効果】
以上説明したように本発明に係るフイルムカートリッジの遮光ドア制御方法によれば、フイルムカートリッジをカートリッジ室に受け入れる際に、遮光ドア駆動軸を遮光ドアの閉成位置よりも僅か手前の装填待機位置で待機させるので、フイルムカートリッジの遮光ドアが誤って開放された状態でフイルムカートリッジをカートリッジ室に押し込んでも、遮光ドア駆動軸に遮光ドア開閉部材が倣って係合するため、開閉部材または遮光ドア駆動軸を損傷する虞はない。
【００３１】
また、本発明に係るフイルムカートリッジの遮光ドア開閉装置によれば、規制部材によって回動駒をレバーの一定の回動範囲でその回動を阻止することによって遮光ドア駆動軸を遮光ドアの閉成位置よりも僅か手前で待機させられるので、遮光ドア駆動軸の制御が容易である。
【図面の簡単な説明】
【図１】  本発明に係るフイルムカートリッジの遮光ドア開閉装置におけるフイルムカートリッジと駆動力伝達機構の一部を示した斜視図である。
【図２】  本発明に係るフイルムカートリッジの遮光ドア開閉装置における駆動力伝達機構を示したもので、遮光ドアの開成位置の状態を示している。
【図３】  本発明に係るフイルムカートリッジの遮光ドア開閉装置における駆動力伝達機構を示したもので、遮光ドアを閉成する途中の状態を示している。
【図４】  本発明に係るフイルムカートリッジの遮光ドア開閉装置における駆動力伝達機構を示したもので、遮光ドアを閉成する僅か手前の状態を示している。
【図５】  本発明に係るフイルムカートリッジの遮光ドア開閉装置における駆動力伝達機構を示したもので、遮光ドアを閉成してさらにカートリッジ室の蓋のロックを解除する位置を示している。
【図６】  本発明に係るフイルムカートリッジの遮光ドア開閉装置における駆動力伝達機構を構成するレバーの説明図である。
【図７】  本発明に係るフイルムカートリッジの遮光ドア開閉装置における駆動力伝達機構を構成する回動駒の説明図である。
【図８】  本発明に係るフイルムカートリッジの遮光ドア開閉装置における遮光ドアの開閉角度を示した説明図である。
【図９】  本発明に係るフイルムカートリッジの遮光ドア開閉装置の制御の一例を示したフローチャートである。
【図１０】  本発明に係るフイルムカートリッジの遮光ドア制御方法が適用されるフイルム画像再生装置のフイルムカートリッジ収容部を示した斜視図である。
【図１１】  図１０の係るフイルム画像再生装置における従来の駆動力伝達機構を概念的に示した説明図である。
【符号の説明】
１０…フイルムカートリッジ
２０…駆動力伝達機構
２２…遮光ドア駆動軸
２８…カートリッジ遮光ドア
３０…遮光ドア開閉部材
３２…レバー
３２Ｂ…爪
３４…回動駒
３４Ａ…係合溝
３６…捩じりコイルばね
５４…ピン
５６…カム
【図１】
0003703053.tif 000002
【図２】
0003703053.tif 000003
【図３】
0003703053.tif 000004
【図４】
0003703053.tif 000005
【図５】
0003703053.tif 000006
【図６】
0003703053.tif 000007
【図７】
0003703053.tif 000008
【図８】
0003703053.tif 000009
【図９】
0003703053.tif 000010
【図１０】
0003703053.tif 000011
【図１１】
0003703053.tif 000012